【手続補正書】
【提出日】平成30年8月30日(2018.8.30)
【手続補正１】
【補正対象書類名】特許請求の範囲
【補正対象項目名】全文
【補正方法】変更
【補正の内容】
【特許請求の範囲】
【請求項１】
本体と、
前記本体に設けられ、食器類を搬送する搬送方向と直交する方向に対向された複数のリンクプレート同士が前記搬送方向と直交する方向に延びるブシュで隔てられたエンドレスのコンベアベルトを有するコンベアと、
前記コンベアの前記コンベアベルトを走行させる駆動機構と、
前記コンベアベルトの搬送面の上に載置された食器類を洗浄する洗浄ノズルと、
を備える食器類洗浄機に設けられる出口装置であって、
前記コンベアベルトの前記搬送面よりも低く配置され、前記コンベアの搬出端部から搬出される洗浄後の前記食器類を受ける受板と、
前記受板に形成され、前記コンベアの前記搬出端部において前記ブシュで隔てられた前記リンクプレートの間に入り込むように前記搬送方向と直交する方向に櫛歯状に並べられた凸部と、
前記食器類洗浄機の前記本体に回動可能に取付けられ、前記受板の前記凸部が前記リンクプレートの間に入り込んだ基準位置と、前記凸部が前記リンクプレートの間から外れるように斜め上向きの状態となる第１退避位置とにわたって前記受板を移動させる第１支持部材と、
前記受板を支持して前記第１支持部材に回動可能に取付けられ、前記受板の前記凸部が斜め下向きとなる第２退避位置と前記基準位置とにわたって前記受板を移動させるとともに、前記凸部を下側にして前記受板全体が斜めとなる第３退避位置と前記基準位置とにわたって前記受板を移動させる第２支持部材と、
前記受板が前記基準位置に保持されるように前記第１支持部材又は前記第２支持部材を付勢する付勢手段と、
を具備した出口装置。
【請求項２】
前記凸部の先端部が下方に曲げられた請求項１に記載の出口装置。
【請求項３】
本体と、
前記本体に設けられ、食器類を搬送する搬送方向と直交する方向に対向された複数のリンクプレート同士が前記搬送方向と直交する方向に延びるブシュで隔てられたエンドレスのコンベアベルトを有するコンベアと、
前記コンベアの前記コンベアベルトを走行させる駆動機構と、
前記コンベアベルトの搬送面の上に載置された食器類を洗浄する洗浄ノズルと、
前記コンベアの搬出端部に設けられた請求項１又は請求項２に記載の出口装置と、
を具備した食器類洗浄機。
【請求項４】
前記出口装置の前記受板が前記基準位置に移動されている状態で前記駆動機構を動作可能とするとともに、前記受板が前記第１退避位置、前記第２退避位置、前記第３退避位置の何れかに移動された時に前記駆動機構を動作不能とする安全スイッチをさらに備えた請求項３に記載の食器類洗浄機。
【手続補正２】
【補正対象書類名】明細書
【補正対象項目名】０００９
【補正方法】変更
【補正の内容】
【０００９】
更に、ブシュと凸部との間に指が挟まれた場合、シュートはその上縁と下縁との略中間位置に配設された回転軸を支点に傾動されることで、シュートの凸部が回転軸の下側で斜め下向きとなって、この凸部とブシュとの離間距離が増えるようになる。しかし、このとき、凸部が形成された縁と反対側の縁が回転軸の上側でコンベアベルトの搬出端部に近づくように移動されて、これらの縁と搬出端部との間が狭められる。このため、ブシュと凸部との間に挟まれた指を引き出す際の手の挙動が、回動軸より上側のシュート部分とコンベアの搬出端部との間で制約され易くなるので、挟まれた指を容易に引き出す上で改善の余地がある。
【手続補正３】
【補正対象書類名】明細書
【補正対象項目名】００１２
【補正方法】変更
【補正の内容】
【００１２】
前記の課題を解決するために、本発明の出口装置は、本体と、前記本体に設けられ、食器類を搬送する搬送方向と直交する方向に対向された複数のリンクプレート同士が前記搬送方向と直交する方向に延びるブシュで隔てられたエンドレスのコンベアベルトを有するコンベアと、前記コンベアの前記コンベアベルトを走行させる駆動機構と、前記コンベアベルトの搬送面の上に載置された食器類を洗浄する洗浄ノズルと、を備える食器類洗浄機に適用される。
前記出口装置は、凸部が形成された受板、第１支持部材、第２支持部材および付勢手段を備えている。前記受板は、前記コンベアベルトの前記搬送面よりも低く配置され、前記コンベアの搬出端部から搬出される洗浄後の前記食器類を受ける。前記凸部は、前記コンベアの前記搬出端部において前記ブシュで隔てられた前記リンクプレートの間に入り込むように前記搬送方向と直交する方向に櫛歯状に並べられている。前記第１支持部材は、前記食器類洗浄機の前記本体に回動可能に取付けられ、前記受板の前記凸部が前記リンクプレートの間に入り込んだ基準位置と、前記凸部が前記リンクプレートの間から外れるように斜め上向きの状態となる第１退避位置とにわたって前記受板を移動させる。前記第２支持部材は、前記受板を支持して前記第１支持部材に回動可能に取付けられ、前記受板の前記凸部が斜め下向きとなる第２退避位置と前記基準位置とにわたって前記受板を移動させるとともに、前記凸部を下側にして前記受板全体が斜めとなる第３退避位置と前記基準位置とにわたって前記受板を移動させる。前記付勢手段は、前記受板が前記基準位置に保持されるように前記第１支持部材又は前記第２支持部材を付勢する。
【手続補正４】
【補正対象書類名】明細書
【補正対象項目名】００１３
【補正方法】変更
【補正の内容】
【００１３】
本発明によれば、コンベアから供給される食器類を受ける受板とコンベアとの間に洗浄従事者の手が挟まれた場合に、その状況を容易に解消できる、という効果を奏する。
【手続補正５】
【補正対象書類名】明細書
【補正対象項目名】００２２
【補正方法】変更
【補正の内容】
【００２２】
図１１に示すように、第１リンクプレート８と第２リンクプレート９は同じ長さであり、第１リンクプレート８はその長手方向の中央から長手方向の一端側にずれた位置に係合突起９ａを有している。係合突起９ａは、コンベアベルト６上に乗せられた食器類を引っ掛けるために設けられており、例えば三角形状をなしているが、これには制約されない。
【手続補正６】
【補正対象書類名】明細書
【補正対象項目名】００３３
【補正方法】変更
【補正の内容】
【００３３】
図１に示す駆動機構２５は、本体２の例えば後部に設けられている。この駆動機構２５は、減速機付きの電動モータ２５ａと、減速機の出力軸に連動する巻掛け伝動部とを備えている。巻掛け伝動部は、例えば減速機の出力軸に固定された駆動車（スプロケット等）２５ｂと、搬出側回転体２０の回転軸２０ａに固定された被動車（スプロケット等）２５ｃと、これら駆動車２５ｂと被動車２５ｃにわたって巻掛けられたエンドレスの伝動部材（チェーン等）２５ｄとで形成されている。駆動機構２５が運転されることにより、コンベア５のコンベアベルト６は、図１において反時計回り方向に回転するように走行する。
【手続補正７】
【補正対象書類名】明細書
【補正対象項目名】００５６
【補正方法】変更
【補正の内容】
【００５６】
このような状況になった場合、移動される第１ブシュ１０又は第２ブシュ１１によって、既述のように挟まれた指を介してシュート６１が押される。それにより、出口装置４１全体が、第１支持部材４２と第２支持部材５１の相対位置が変わらない状態で、コイルばね６５のばね力（付勢力）に抗しながら第１枢軸４５を支点に図９（Ａ）に示す状態から同図中反時計回りに回動される。それに伴い、シュート６１は、後退しながら下がり、図９（Ｂ）に示す第１退避位置に移動される。シュート６１が第１退避位置に移動された時、ばね板６６が本体２の底壁２ｃに接するので、シュート６１は第１退避位置に保持される。同時に、この規制状態で図９（Ｂ）に示すようにシュート６１の下縁部が受台３に接触する。
【手続補正８】
【補正対象書類名】明細書
【補正対象項目名】００６７
【補正方法】変更
【補正の内容】
【００６７】
又、既述のようにシュート６１の凸部６２の先端部は下方に曲がっているので、洗浄作業者の指が挟まれている状況でも、指が引き出される状況においても、挟まれた指が、切断面を有する凸部６２の先端６２ａに接することがない。これにより、前記切断面を原因とする指の怪我が未然に防止され、更に安全である。
【手続補正９】
【補正対象書類名】明細書
【補正対象項目名】００６８
【補正方法】変更
【補正の内容】
【００６８】
更に、図９（Ｂ）に示したようにシュート６１が基準位置から第１退避位置に移動された状態では、第１枢軸４５を支点とする第１支持部材４２の回動により第２支持部材５１が本体２の後方に押し動かされて、第２支持部材５１のスイッチ押圧部５１ｄが、図６（Ａ）に示すように安全スイッチ６８のアクチュエータ６８ａから離されるので、安全スイッチ６８は「ＯＦＦ」状態になる。
同様に、図９（Ｃ）に示したようにシュート６１が基準位置から第２退避位置に移動された状態では、第２枢軸５３を支点とする第２支持部材５１の回動により、そのスイッチ押圧部５１ｄが、図７（Ａ）に示すように安全スイッチ６８のアクチュエータ６８ａから離されるので、安全スイッチ６８は「ＯＦＦ」状態になる。
同様に、図９（Ｄ）に示したようにシュート６１が基準位置から第３退避位置に移動された状態では、第１枢軸４５を支点とする第１支持部材４２の回動及び第２枢軸５３を支点とする第２支持部材５１の回動により、スイッチ押圧部５１ｄが、図８（Ａ）に示すように安全スイッチ６８のアクチュエータ６８ａから離されるので、安全スイッチ６８は「ＯＦＦ」状態になる。
【手続補正１０】
【補正対象書類名】明細書
【補正対象項目名】００６９
【補正方法】変更
【補正の内容】
【００６９】
このようにシュート６１が第１退避位置、第２退避位置、第３退避位置の何れかに移動されると、安全スイッチ６８が「ＯＦＦ」状態となるので、それに伴って駆動機構２５の運転が自動的に停止される。これにより、非常停止レバー３８を操作することなくコンベア５を停止させることができるため、コンベア５の搬出端部とシュート６１との間からより安全に手指を引き出すことができる。
【手続補正１１】
【補正対象書類名】図面
【補正対象項目名】図３
【補正方法】変更
【補正の内容】
【図３】
2017113276.tif 000001